(57)【要約】      （修正有）【課題】空気の流入口から流出口に向けてスムーズな空気の流れを形成させるようにする衣服を提供する。【解決手段】衣服１は、使用者の身体のうち少なくとも上半身を覆う上着部を備え、上着部は、下部に外部から内部に空気を流入可能とさせる流入口２を備えるとともに、上部に空気を排出する流出口３を備え、流入口２には、外部から内部へ空気を取り込むファン１０を取り付けるための取付部４が設けられている。取付部４は、流入口２の開口形状と略等しい外周形状の略平板状に形成され、ファン１０が着脱可能に装着されるファン取付穴が略中央に設けられているファン取付片と、流入口２の開口縁部に対してファン取付片の上側が下側よりも相対的に外方へ突出する状態になるようにして、流入口２の開口縁部及びファン取付片の周縁部の間を空気が漏れないように連結する周囲部とを備えている。【選択図】図１
0003234448.tif 000002
【実用新案登録請求の範囲】
【請求項１】
使用者の身体のうち少なくとも上半身を覆う上着部を備え、
該上着部は、下部に外部から内部に空気を流入可能とさせる流入口を備えるとともに、上部に該空気を排出する流出口を備え、
前記流入口には、前記外部から内部へ空気を取り込むファンを取り付けるための取付部が設けられた衣服であって、
前記取付部は、前記流入口の開口形状と略等しい外周形状の略平板状に形成され、前記ファンが着脱可能に装着されるファン取付穴が略中央に設けられているファン取付片と、前記流入口の開口縁部に対して該ファン取付片の上側が下側よりも相対的に外方へ突出する状態になるようにして、前記流入口の開口縁部及び前記ファン取付片の周縁部の間を空気が漏れないように連結する周囲部とを備えている衣服。
【請求項２】
前記ファン取付片における前記ファン取付穴の周囲のマージンは、該ファン取付穴の直径の１０〜３０％に設定されている請求項１記載の衣服。
【請求項３】
前記流入口の開口縁部に対する前記ファン取付片の傾斜角度は、７．５〜２０°に設定されている請求項１又は２記載の衣服。
【請求項４】
前記周囲部は、柔軟性の高い素材で構成されている請求項１〜３のいずれか一項に記載の衣服。
【考案の詳細な説明】
【技術分野】
【０００１】
本考案は、衣服の内部に空気の流れを生じさせるファンが装着可能に構成された衣服に関するものである。
【背景技術】
【０００２】
背景技術としては、特許文献１に記載された冷却衣服を例示する。この冷却衣服は、外部の空気を取り込む空気取込口と、空気取込口から空気を取り込み、体に対して略平行な平行風を発生させるための平行風発生手段（ファン）と、平行風発生手段により発生した平行風を体に平行に案内するための衣服をかねた案内シートと、平行風を外部に放出する空気出口部と、平行風発生手段に電源を供給するための電源手段と、を有する。そして、平行風発生手段によって、空気を前記案内シ−トと下着との間に送風することにより、案内シ−トと下着との間を陽圧にして空気流通空間を形成し、更に空気流通空間に空気を流通させて汗による水蒸気を外部に排出する共に、たえず新鮮な外部の空気を送り込み、汗が蒸発できる条件を大幅に拡大するように構成されている。
【０００３】
平行風発生装置（ファン）のファンケースは、ファンの空気吸込口に形成された前面ファンガ−ドと、平行風送出部に形成された内部側面ファンガ−ドと、フランジ部と、底部と、フランジ部に取り付けられた面ファスナーとを備えており、該面ファスナーにより衣服に着脱可能に装着されるようになっている。
【０００４】
この冷却衣服を上着として構成する場合は、上着の下部（例えば背中や、体側）に平行風発生装置を設け、そこから外部の空気を衣服の中に吸い込み、空気出口（衣服の襟部と人体との間の隙間と、袖口と腕の隙間）から排出させるようにする。
【先行技術文献】
【特許文献】
【０００５】
【特許文献１】特許第４３２９１１８号公報
【考案の概要】
【考案が解決しようとする課題】
【０００６】
背景技術の冷却衣服を上着として構成する場合において、汗が蒸発する際の気化熱を利用して着用者の身体を効率よく冷却することができる。このような冷却衣服において、さらに、空気の流入口から流出口に向けてスムーズな空気の流れを形成させるようにすることを課題とする。
【課題を解決するための手段】
【０００７】
前記課題を解決するために、本考案の衣服は、
使用者の身体のうち少なくとも上半身を覆う上着部を備え、
該上着部は、下部に外部から内部に空気を流入可能とさせる流入口を備えるとともに、上部に該空気を排出する流出口を備え、
前記流入口には、前記外部から内部へ空気を取り込むファンを取り付けるための取付部が設けられた衣服であって、
前記取付部は、前記流入口の開口形状と略等しい外周形状の略平板状に形成され、前記ファンが着脱可能に装着されるファン取付穴が略中央に設けられているファン取付片と、前記流入口の開口縁部に対して該ファン取付片の上側が下側よりも相対的に外方へ突出する状態になるようにして、前記流入口の開口縁部及び前記ファン取付片の周縁部の間を空気が漏れないように連結する周囲部とを備えている。
【０００８】
前記流入口の開口形状としては、特に限定されないが、次の態様を例示する。
（１）矩形に形成されている態様。
（２）円形に形成されている態様。
（３）略半円型に形成されている態様。
【０００９】
この構成によれば、前記ファン取付片の上側が下側よりも相対的に外方へ突出する状態となっているので、そこに装着された前記ファンはその回転軸が体表面に対して正対せず、斜め上方に向かって空気の流れを生じさせ、その結果、次の作用効果が得られる。
（１）前記ファンの正面が体表面に対して相対的に斜めに傾いた状態となるため、該ファンのケースが体表面に接触する面積が狭くなって当たりにくく、衣服を快適に着用できる。
（２）上着の下部に設けられたファンから放出される風は、斜め上方に向いているため、ファンの上方にある空気出口に向かうスムーズな空気の流れを形成することができる。
（３）前記流入口の開口縁部に対して該ファン取付片の上側が下側よりも相対的に外方へ突出する状態となっているので、そこに装着されたファンの衣服の内側への突出が小さくなる。そのため、従来よりも身体にフィットした衣服のデザインの採用が可能になる。
（４）前記ファン取付穴は、従来の衣服と同様の構成であるため、従来の衣服に装着可能に構成されているファンをそのまま使用することができる。
（５）前記流入口に対して傾斜して取り付けられることにより、該流入口から外方へ露出するファンの上面及び側面は、前記周囲部により覆われるように構成されている。そのため、該周囲部が衣服における流入口の開口縁部と調和したデザインを採用することにより、ファンの存在を目立たせなくすることができる。
【００１０】
前記ファン取付片の下側縁部は、特に限定されないが、次のように構成された態様を例示する。
（１）前記ファン取付片の下側縁部は、前記流入口の開口縁部の下側に直接連結されている態様。
（２）前記ファン取付片の下側縁部は、前記流入口の開口縁部の下側にマチを介して連結されるとともに、該マチが該下側縁部の略全長に渡って折り畳まれた状態で固定するための固定部が設けられている態様。
【００１１】
前記衣服としては、
前記ファン取付片における前記ファン取付穴の周囲のマージンは、特に限定されないが、該ファン取付穴の直径の１０〜３０％に設定されている態様を、好ましくは１５〜２５％に設定されている態様を、例示する。
【００１２】
前記マージンの下限を前述のようにした理由は、１０％より小さくすると前記ファンの取り付けが困難になり、それより大きい１５％以上にした方が前記ファンの取り付けがより容易になるためである。また、前記マージンの上限を前述のようにした理由は、３０％より大きくすると前記ファンに対する前記取付部内の容積が大きくなり、該ファンを作動させた際の前記周囲部の立ち上がりや保形が難しくなるためであり、それより小さい２５％以下にした方が該周囲部の立ち上がりや保形が容易になるためである。
【００１３】
この構成によれば、例えば、前記ファン取付片を小さく構成することにより、前記取付部をコンパクトに構成できるとともに、前記ファンを所定位置に安定的に支持させることもできる。
【００１４】
前記衣服としては、
前記流入口の開口縁部に対する前記ファン取付片の傾斜角度は、特に限定されないが、７．５〜２０°に設定されている態様を、好ましくは１０〜１５°に設定されている態様を、例示する。
【００１５】
前記傾斜角度の下限を前述のようにした理由は、７．５°より小さいと主に斜め上方に向かう空気の流れが生成され難くなったり、身体から離れにくくなったりするためであり、それより大きい１０°以上にした方が該空気の流れ等が改善するためである。また、前記傾斜角度の上限を前述のようにした理由は、角度が大きくなればなるほど前記ファンが身体から離れ食い込みにくくなるメリットはあるが、２０°より大きいと、前記ファンに対する前記取付部内の容積が大きくなって該ファンを作動させた際の前記周囲部の立ち上がりや保形が難しくなったり、該取付部の外側への突出が大きくなり周囲へぶつかって作業性を損なったりするためであり、それより小さい１５°以下にした方が前記周囲部の立ち上がり等が改善するためである。
【００１６】
この構成によれば、前記ファンにより、主に斜め上方を向かう空気の流れを生成させることができる。
【００１７】
前記衣服としては、
前記周囲部は柔軟性の高い素材で構成されている態様を例示する。
【００１８】
この構成によれば、前記ファンを使用者の身体に押しつける向きの外力が加わった場合に、ファンの正面が身体表面に正対するように前記周囲部が変形し、ファンの下側の角が身体に食い込むことを防止できる。
【考案の効果】
【００１９】
本考案に係る衣服によれば、空気の流入口から流出口に向けてスムーズな空気の流れを形成させることができるという優れた効果を奏する。
【図面の簡単な説明】
【００２０】
【図１】本考案を具体化した第一実施形態に係る衣服を背面から見たときの概略構成を示す図である。
【図２】同衣服の流入口に取り付けられた取付部の図であり、（ａ）は斜視図、（ｂ）は（ａ）のＢ−Ｂ線断面図を示している。
【図３】同取付部の展開図である。
【図４】本考案を具体化した第二実施形態に係る衣服の流入口に取り付けられた取付部の図であり、（ａ）は斜視図、（ｂ）は（ａ）のＢ−Ｂ線断面図を示している。
【図５】同取付部の展開図である。
【図６】本考案を具体化した第三実施形態に係る衣服の流入口に取り付けられた取付部の図であり、（ａ）は斜視図、（ｂ）は（ａ）のＢ−Ｂ線断面図を示している。
【図７】同取付部の展開図である。
【考案を実施するための形態】
【００２１】
図１〜図３は本考案を具体化した第一実施形態の衣服１を、使用者の身体の上半身を覆う上着として構成した例を示している。この衣服１は、下部に外部から内部に空気を流入可能とさせる流入口２を備えるとともに、上部に該空気を排出する流出口３を備え、前記流入口２には、前記外部から内部へ空気を取り込むファン１０を取り付けるための取付部４が設けられている。また、この衣服１には、ファン１０を駆動するための電源部を収納する電源収納部、ファンの作動を入切等するための操作部、それらを接続する配線等も設けられているが、いずれも図示を省略している。
【００２２】
空気の流入口２は、本例では矩形に形成されており、衣服１の背面側の下部における左右にそれぞれ設けられている。
【００２３】
空気の流出口３は、衣服１の襟部１ａと人体との間の隙間と、左右の袖口１ｂ，１ｂと腕の隙間にそれぞれ設けられている。
【００２４】
前記取付部４は、略平板状に形成されたファン取付片５と、前記流入口２の開口縁部及び前記ファン取付片５の周縁部の間を連結する周囲部６とを備えている。
【００２５】
ファン取付片５は、前記流入口２の開口形状と略等しい形状である矩形に外周形状が形成されるとともに、その略中央部に、ファン１０が着脱可能に装着されるファン取付穴５ａが略中央に設けられている。このファン取付片５におけるファン取付穴５ａの周囲のマージンＭは、本例ではファン取付穴の直径の２０％（例えば、ファン取付穴５ａの直径が１０ｃｍの場合、マージンＭは２ｃｍ）に設定されている。本例では、ファン取付片５の下側縁部は、前記流入口２の開口縁部の下側に直接連結されている。
【００２６】
周囲部６は、前記流入口２の開口縁部に対して該ファン取付片５の上側が下側よりも相対的に外方へ突出する状態になるようにして、前記流入口２の開口縁部及び前記ファン取付片５の周縁部の間を空気が漏れないように連結している。本例の周囲部６は、前記流入口２の開口縁部及び前記ファン取付片５の周縁部における上部同士と、左右の側部同士を連結するように構成されている。また、本例の周囲部６は柔軟性の高い素材で構成されている。さらに、本例の周囲部６は、前記流入口２の開口縁部に対する前記ファン取付片５の傾斜角度が、約１２°になるように構成されている。
【００２７】
以上のように構成された本例の衣服１によれば、前記ファン取付片５の上側が下側よりも相対的に外方へ突出する状態となっているので、そこに装着された前記ファン１０はその回転軸が体表面に対して正対せず、主に斜め上方に向かって空気の流れＳを生じさせ、その結果、次の作用効果が得られる。
（１）前記ファン１０の正面が体表面に対して相対的に斜めに傾いた状態となるため、該ファン１０のケースが体表面に接触する面積が狭くなって当たりにくく、衣服１を快適に着用できる。
（２）上着の下部に設けられたファン１０から放出される風は、斜め上方に向いているため、ファン１０の上方にある空気出口に向かうスムーズな空気の流れＳを形成することができる。
（３）前記流入口２の開口縁部に対して該ファン取付片５の上側が下側よりも相対的に外方へ突出する状態となっているので、そこに装着されたファン１０の衣服１の内側への突出が小さくなる。そのため、従来よりも身体にフィットした衣服１のデザインの採用が可能になる。
（４）従来の衣服１に装着可能に構成されているファン１０をそのまま使用することができる。
（５）前記流入口２に対して傾斜して取り付けられることにより、該流入口２から外方へ突出するファン１０の側部は、前記周囲部６により覆われるように構成されている。そのため、該周囲部６が衣服１における流入口２の周囲部６に調和したデザインを採用することにより、ファン１０の存在を目立たせなくすることができる。
【００２８】
また、前記ファン取付片５における前記ファン取付穴の周囲のマージンＭは、該ファン取付穴の直径の２０％に設定されている。例えば、前記ファン取付片５を小さく構成することにより、前記取付部４をコンパクトに構成できるとともに、前記ファン１０を所定位置に安定的に支持させることもできる。
【００２９】
また、前記流入口２の開口縁部に対する前記ファン取付片５の傾斜角度は、１２°に設定されている。この構成によれば、前記ファン１０により、主に斜め上方を向かう空気の流れＳを生成させることができる。
【００３０】
さらに、前記周囲部６は柔軟性の高い素材で構成されているので、前記ファン１０を使用者の身体に押しつける向きの外力が加わった場合に、ファン１０の正面が身体表面に正対するように前記周囲部６が変形し、ファン１０の下側の角が身体に食い込むことを防止できる。
【００３１】
次に、図４〜図５は本考案を具体化した第二実施形態を示している。この衣服１は、以下に示す点において、主に第一実施形態と相違している。従って、同実施形態と共通する部分については、同一符号を付することにより重複説明を省く。
【００３２】
本例の空気の流入口２の開口形状及びファン取付片５の形状は略半円形に形成されているとともに、周囲部６はそれらを連結するように形成されている。
【００３３】
本例の衣服１によっても、第一実施形態と同様の効果を得ることができる。
【００３４】
次に、図６〜図７は本考案を具体化した第三実施形態を示している。この衣服１は、以下に示す点において、主に第一実施形態と相違している。従って、同実施形態と共通する部分については、同一符号を付することにより重複説明を省く。
【００３５】
本例の前記ファン取付片５の下側縁部は、前記流入口２の開口縁部の下側にマチ８を介して連結されるとともに、該マチ８が該下側縁部の略全長に渡って折り畳まれた状態で固定するための固定部９が３箇所に設けられている。
【００３６】
本例の衣服１によっても、第一実施形態と同様の効果を得ることができる。
【００３７】
なお、本考案は前記実施形態に限定されるものではなく、例えば以下のように、考案の趣旨から逸脱しない範囲で適宜変更して具体化することもできる。
（１）流入口２を上着の下部における側面に設けること。
（２）半袖やノースリーブの上着や、上下つなぎ服の上着部などに対して本考案を用いること。
【符号の説明】
【００３８】
１    衣服
１ａ  襟部
１ｂ  袖口
２    流入口
３    流出口
４    取付部
５    ファン取付片
５ａ  ファン取付穴
６    周囲部
７    縫い代
８    マチ
９    固定部
１０    ファン
Ｈ    身体
Ｍ    マージン
Ｓ    空気の流れ
【図１】
0003234448.tif 000003
【図２】
0003234448.tif 000004
【図３】
0003234448.tif 000005
【図４】
0003234448.tif 000006
【図５】
0003234448.tif 000007
【図６】
0003234448.tif 000008
【図７】
0003234448.tif 000009